(57)【要約】      （修正有）【課題】  医療用医薬品である処方薬の薬効に基づいて、市販されている一般薬に対する相互作用の有無に関する情報を提供する。【解決手段】  ユーザの指定した処方薬の薬効を取得する手段と、ユーザの指定した一般薬を特定する情報を取得する手段と、処方薬薬効取得手段で取得した処方薬の薬効に基づいて、薬効成分保持手段を検索して、処方薬薬効取得手段で取得した処方薬の薬効をもたらす成分を特定する手段と、一般薬特定情報取得手段で取得した一般薬を特定する情報に基づいて、一般薬成分保持手段を検索して、ユーザの指定した一般薬の成分を特定する手段と、処方薬の成分と一般薬の成分との間における相互作用の有無に関する情報を保持する手段と、相互作用情報保持手段を検索して、薬効成分特定手段で特定した処方薬の成分と、一般薬成分特定手段で特定した一般薬の成分との間に、相互作用があるかどうかを判断する手段を備える。【選択図】  図１
2006215971.tif 000002
【特許請求の範囲】
【請求項１】
ユーザ側に設けられた情報処理端末に接続され、薬の相互作用情報を提供するサーバコンピュータであって、
前記情報処理端末から、ユーザの指定した処方薬の薬効を取得する、処方薬薬効取得手段と、
前記情報処理端末から、ユーザの指定した一般薬を特定する情報を取得する、一般薬特定情報取得手段と、
複数の処方薬の薬効について、その薬効をもたらす成分を保持する、薬効成分保持手段と、
複数の一般薬について、その成分を保持する、一般薬成分保持手段と、
前記処方薬薬効取得手段で取得した処方薬の薬効に基づいて、前記薬効成分保持手段を検索して、前記処方薬薬効取得手段で取得した処方薬の薬効をもたらす成分を特定する、薬効成分特定手段と、
前記一般薬特定情報取得手段で取得した一般薬を特定する情報に基づいて、前記一般薬成分保持手段を検索して、ユーザの指定した一般薬の成分を特定する、一般薬成分特定手段と、
処方薬の成分と一般薬の成分との間における相互作用の有無に関する情報を保持する、相互作用情報保持手段と、
前記相互作用情報保持手段を検索して、前記薬効成分特定手段で特定した処方薬の成分と、前記一般薬成分特定手段で特定した一般薬の成分との間に、相互作用があるかどうかを判断する、判断手段と、
前記判断手段で判断した結果を出力する、出力手段と、
を備えることを特徴とするサーバコンピュータ。
【請求項２】
複数の処方薬の薬効の一覧を、前記情報処理端末に送信する、処方薬薬効一覧送信手段をさらに備えており、
ユーザは、前記情報処理端末を用いて、前記サーバコンピュータから送信された前記処方薬の薬効の一覧の中から、処方薬の薬効を指定することを特徴とする請求項１に記載のサーバコンピュータ。
【請求項３】
前記情報処理端末から、ユーザは、一般薬を特定する情報を入力し、この一般薬を特定する情報は前記情報処理端末から前記サーバコンピュータに送信される、ことを特徴とする請求項１又は請求項２に記載のサーバコンピュータ。
【請求項４】
前記一般薬を特定する情報はＪＡＮコードをスキャナで読み取ることにより入力される、ことを特徴とする請求項３に記載のサーバコンピュータ。
【請求項５】
前記判断手段で、前記薬効成分特定手段で特定した処方薬の成分と、前記一般薬成分特定手段で特定した一般薬の成分との間に、相互作用がないと判断した場合には、相互作用が無い旨を、前記情報処理端末に送信する、結果送信手段を、さらに備えることを特徴とする請求項１乃至請求項４のいずれかに記載のサーバコンピュータ。
【請求項６】
前記結果送信手段は、前記判断手段で、前記薬効成分特定手段で特定した処方薬の成分と、前記一般薬成分特定手段で特定した一般薬の成分との間に、相互作用があると判断した場合には、相互作用のある可能性がある旨を、前記情報処理端末に送信する、ことを特徴とする請求項５に記載のサーバコンピュータ。
【請求項７】
前記薬効成分保持手段には、その薬効をもたらすとして、流通しているすべての処方薬の成分が保持されている、ことを特徴とする請求項１乃至請求項６のいずれかに記載のサーバコンピュータ。
【請求項８】
ユーザ側に設けられた情報処理端末に接続されて、薬の相互作用情報を提供するとともに、
複数の処方薬の薬効について、その薬効をもたらす成分を保持する、薬効成分保持手段と、
複数の一般薬について、その成分を保持する、一般薬成分保持手段と、
処方薬の成分と一般薬の成分との間における相互作用の有無に関する情報を保持する、相互作用情報保持手段と、
を備えるサーバコンピュータの制御方法であって、
前記サーバコンピュータが、前記情報処理端末から、ユーザの指定した処方薬の薬効を取得するステップと、
前記サーバコンピュータが、前記情報処理端末から、ユーザの指定した一般薬を特定する情報を取得するステップと、
ユーザの指定した処方薬の薬効に基づいて、前記薬効成分保持手段を検索して、ユーザの指定した処方薬の薬効をもたらす成分を特定するステップと、
ユーザの指定した一般薬を特定する情報に基づいて、前記一般薬成分保持手段を検索して、ユーザの指定した一般薬の成分を特定するステップと、
前記相互作用情報保持手段を検索して、ユーザの指定した処方薬の薬効をもたらす成分と、ユーザの指定した一般薬の成分との間に、相互作用があるかどうかを判断するステップと、
前記判断した結果を前記サーバコンピュータが出力するステップと、
を備えることを特徴とするサーバコンピュータの制御方法。
【請求項９】
ユーザ側に設けられた情報処理端末に接続されて、薬の相互作用情報を提供するとともに、
複数の処方薬の薬効について、その薬効をもたらす成分を保持する、薬効成分保持手段と、
複数の一般薬について、その成分を保持する、一般薬成分保持手段と、
処方薬の成分と一般薬の成分との間における相互作用の有無に関する情報を保持する、相互作用情報保持手段と、
を備えるサーバコンピュータを制御するためのプログラムであって、
前記サーバコンピュータが、前記情報処理端末から、ユーザの指定した処方薬の薬効を取得するステップと、
前記サーバコンピュータが、前記情報処理端末から、ユーザの指定した一般薬を特定する情報を取得するステップと、
ユーザの指定した処方薬の薬効に基づいて、前記薬効成分保持手段を検索して、ユーザの指定した処方薬の薬効をもたらす成分を特定するステップと、
ユーザの指定した一般薬を特定する情報に基づいて、前記一般薬成分保持手段を検索して、ユーザの指定した一般薬の成分を特定するステップと、
前記相互作用情報保持手段を検索して、ユーザの指定した処方薬の薬効をもたらす成分と、ユーザの指定した一般薬の成分との間に、相互作用があるかどうかを判断するステップと、
前記判断した結果を前記サーバコンピュータが出力するステップと、
を前記サーバコンピュータに実行させるためのプログラム。
【請求項１０】
ユーザ側に設けられた情報処理端末に接続されて、薬の相互作用情報を提供するとともに、
複数の処方薬の薬効について、その薬効をもたらす成分を保持する、薬効成分保持手段と、
複数の一般薬について、その成分を保持する、一般薬成分保持手段と、
処方薬の成分と一般薬の成分との間における相互作用の有無に関する情報を保持する、相互作用情報保持手段と、
を備えるサーバコンピュータを制御するためのプログラムが記録された記録媒体であって、
前記サーバコンピュータが、前記情報処理端末から、ユーザの指定した処方薬の薬効を取得するステップと、
前記サーバコンピュータが、前記情報処理端末から、ユーザの指定した一般薬を特定する情報を取得するステップと、
ユーザの指定した処方薬の薬効に基づいて、前記薬効成分保持手段を検索して、ユーザの指定した処方薬の薬効をもたらす成分を特定するステップと、
ユーザの指定した一般薬を特定する情報に基づいて、前記一般薬成分保持手段を検索して、ユーザの指定した一般薬の成分を特定するステップと、
前記相互作用情報保持手段を検索して、ユーザの指定した処方薬の薬効をもたらす成分と、ユーザの指定した一般薬の成分との間に、相互作用があるかどうかを判断するステップと、
前記判断した結果を前記サーバコンピュータが出力するステップと、
を前記サーバコンピュータに実行させるためのプログラムが記録された記録媒体。
【発明の詳細な説明】
【技術分野】
【０００１】
本発明は、サーバコンピュータに関し、特に、医療用医薬品である処方薬の薬効と市販されている一般薬との間の相互作用に関する情報を提供するためのサーバコンピュータに関する。
【背景技術】
【０００２】
三大成人疾病で約１千万人が医療用医薬品である処方薬を服用している現在、処方薬と一般薬との相互作用が無視できない問題になっている。このため、一般薬を取り扱う薬局及び薬店でも、相互作用の情報を正しく顧客に提供する必要がある。
【発明の開示】
【発明が解決しようとする課題】
【０００３】
しかし、自分が服用している処方薬の商品名を常に把握している顧客は、少ないのが実情である。したがって、自分が服用している処方薬の商品名を正確に把握していなくとも、相互作用に関する情報を提供し、薬局や薬店で安全な一般薬を顧客が購入できれば、顧客の利便性や安全性がより向上する。
【０００４】
また、たとえ顧客が自分の服用している処方薬の商品名を正確に把握していても、薬局や薬店では、処方薬に対する一般薬の相互作用の情報を書籍等を用いて調べる必要があった。しかし、書籍などを用いて、相互作用を調べる場合でも、一般薬の成分を特定するためには、商品である一般薬の箱や袋を開封し、中に入っている説明書を見る必要があり、商品としての価値が低下する問題があった。
【０００５】
そこで本発明は、前記課題に鑑みてなされたものであり、医療用医薬品である処方薬の薬効に基づいて、市販されている一般薬に対する相互作用の有無に関する情報を提供できるサーバコンピュータを提供することを目的とする。
【課題を解決するための手段】
【０００６】
上記課題を解決するため、本発明に係るサーバコンピュータは、
ユーザ側に設けられた情報処理端末に接続され、薬の相互作用情報を提供するサーバコンピュータであって、
前記情報処理端末から、ユーザの指定した処方薬の薬効を取得する、処方薬薬効取得手段と、
前記情報処理端末から、ユーザの指定した一般薬を特定する情報を取得する、一般薬特定情報取得手段と、
複数の処方薬の薬効について、その薬効をもたらす成分を保持する、薬効成分保持手段と、
複数の一般薬について、その成分を保持する、一般薬成分保持手段と、
前記処方薬薬効取得手段で取得した処方薬の薬効に基づいて、前記薬効成分保持手段を検索して、前記処方薬薬効取得手段で取得した処方薬の薬効をもたらす成分を特定する、薬効成分特定手段と、
前記一般薬特定情報取得手段で取得した一般薬を特定する情報に基づいて、前記一般薬成分保持手段を検索して、ユーザの指定した一般薬の成分を特定する、一般薬成分特定手段と、
処方薬の成分と一般薬の成分との間における相互作用の有無に関する情報を保持する、相互作用情報保持手段と、
前記相互作用情報保持手段を検索して、前記薬効成分特定手段で特定した処方薬の成分と、前記一般薬成分特定手段で特定した一般薬の成分との間に、相互作用があるかどうかを判断する、判断手段と、
前記判断手段で判断した結果を出力する、出力手段と、
を備えることを特徴とする。
【０００７】
本発明に係るサーバコンピュータの制御方法は、
ユーザ側に設けられた情報処理端末に接続されて、薬の相互作用情報を提供するとともに、
複数の処方薬の薬効について、その薬効をもたらす成分を保持する、薬効成分保持手段と、
複数の一般薬について、その成分を保持する、一般薬成分保持手段と、
処方薬の成分と一般薬の成分との間における相互作用の有無に関する情報を保持する、相互作用情報保持手段と、
を備えるサーバコンピュータの制御方法であって、
前記サーバコンピュータが、前記情報処理端末から、ユーザの指定した処方薬の薬効を取得するステップと、
前記サーバコンピュータが、前記情報処理端末から、ユーザの指定した一般薬を特定する情報を取得するステップと、
ユーザの指定した処方薬の薬効に基づいて、前記薬効成分保持手段を検索して、ユーザの指定した処方薬の薬効をもたらす成分を特定するステップと、
ユーザの指定した一般薬を特定する情報に基づいて、前記一般薬成分保持手段を検索して、ユーザの指定した一般薬の成分を特定するステップと、
前記相互作用情報保持手段を検索して、ユーザの指定した処方薬の薬効をもたらす成分と、ユーザの指定した一般薬の成分との間に、相互作用があるかどうかを判断するステップと、
前記判断した結果を前記サーバコンピュータが出力するステップと、
を備えることを特徴とする。
【０００８】
本発明に係るプログラムは、
ユーザ側に設けられた情報処理端末に接続されて、薬の相互作用情報を提供するとともに、
複数の処方薬の薬効について、その薬効をもたらす成分を保持する、薬効成分保持手段と、
複数の一般薬について、その成分を保持する、一般薬成分保持手段と、
処方薬の成分と一般薬の成分との間における相互作用の有無に関する情報を保持する、相互作用情報保持手段と、
を備えるサーバコンピュータを制御するためのプログラムであって、
前記サーバコンピュータが、前記情報処理端末から、ユーザの指定した処方薬の薬効を取得するステップと、
前記サーバコンピュータが、前記情報処理端末から、ユーザの指定した一般薬を特定する情報を取得するステップと、
ユーザの指定した処方薬の薬効に基づいて、前記薬効成分保持手段を検索して、ユーザの指定した処方薬の薬効をもたらす成分を特定するステップと、
ユーザの指定した一般薬を特定する情報に基づいて、前記一般薬成分保持手段を検索して、ユーザの指定した一般薬の成分を特定するステップと、
前記相互作用情報保持手段を検索して、ユーザの指定した処方薬の薬効をもたらす成分と、ユーザの指定した一般薬の成分との間に、相互作用があるかどうかを判断するステップと、
前記判断した結果を前記サーバコンピュータが出力するステップと、
を前記サーバコンピュータに実行させることを特徴とする。
【０００９】
本発明に係る記録媒体は、
ユーザ側に設けられた情報処理端末に接続されて、薬の相互作用情報を提供するとともに、
複数の処方薬の薬効について、その薬効をもたらす成分を保持する、薬効成分保持手段と、
複数の一般薬について、その成分を保持する、一般薬成分保持手段と、
処方薬の成分と一般薬の成分との間における相互作用の有無に関する情報を保持する、相互作用情報保持手段と、
を備えるサーバコンピュータを制御するためのプログラムが記録された記録媒体であって、
前記サーバコンピュータが、前記情報処理端末から、ユーザの指定した処方薬の薬効を取得するステップと、
前記サーバコンピュータが、前記情報処理端末から、ユーザの指定した一般薬を特定する情報を取得するステップと、
ユーザの指定した処方薬の薬効に基づいて、前記薬効成分保持手段を検索して、ユーザの指定した処方薬の薬効をもたらす成分を特定するステップと、
ユーザの指定した一般薬を特定する情報に基づいて、前記一般薬成分保持手段を検索して、ユーザの指定した一般薬の成分を特定するステップと、
前記相互作用情報保持手段を検索して、ユーザの指定した処方薬の薬効をもたらす成分と、ユーザの指定した一般薬の成分との間に、相互作用があるかどうかを判断するステップと、
前記判断した結果を前記サーバコンピュータが出力するステップと、
を前記サーバコンピュータに実行させるためのプログラムが記録されたことを特徴とする。
【発明の効果】
【００１０】
本発明によれば、医療用医薬品である処方薬の薬効に基づいて、市販されている一般薬に対する相互作用の有無に関する情報を提供できる薬の相互作用情報提供システムを提供することができる。
【発明を実施するための最良の形態】
【００１１】
本実施形態に係る薬の相互作用情報提供システムは、処方薬の薬効に基づいて、この薬効をもたらす成分を特定するとともに、この薬効をもたらす成分と、一般薬に含まれる成分との間に相互作用があるかどうかを検索し、相互作用がある場合には、その情報をユーザに知らせることにより、薬局や薬店で一般薬を販売する際の利便性及び安全性の向上を図ったものである。より詳しくを、以下に説明する。
【００１２】
図１は、本実施形態に係る薬の相互作用情報提供システム１０の全体構成の一例を説明する図である。この図１に示すように、本実施形態に係る薬の相互作用情報提供システム１０は、サーバコンピュータ２０と、このサーバコンピュータ２０にネットワーク（例えば、インターネット）３０を介して接続された情報処理端末４０とを備えて構成されている。
【００１３】
本実施形態においては、サーバコンピュータ２０は、この薬の相互作用情報提供システム１０のサービスを提供するサービス提供企業の内部に設けられている。情報処理端末４０は、この薬の相互作用情報提供システム１０を利用するユーザである薬局又は薬店の内部に設けられている。この情報処理端末４０の台数は任意であり、本実施形態では、複数の異なる薬局又は薬店に設けられた情報処理端末４０が、適宜、ネットワーク３０を介してサーバコンピュータ２０に接続される利用形態を想定している。
【００１４】
図２は、本実施形態に係るサーバコンピュータ２０の内部構成の一例を示す図である。この図２に示すように、本実施形態に係るサーバコンピュータ２０は、本体部５０と、この本体部５０に接続された表示画面５２とを備えて構成されている。
【００１５】
本体部５０は、ＣＰＵ（Central Processing Unit）５４と、ＲＡＭ（Random Access Memory）５６と、ＲＯＭ（Read Only Memory）５８とを備えており、これらは内部バス６０を介して相互に接続されている。また、内部バス６０は、インターフェース６２を介してハードディスク６４に接続されており、インターフェース６６を介して、前述の表示画面５２に接続されている。
【００１６】
図３は、本実施形態に係る情報処理端末４０の内部構成の一例を示す図である。この図３に示すように、本実施形態に係る情報処理端末４０は、本体部７０と、この本体部７０に接続されたディスプレイ７２とを備えて構成されている。
【００１７】
本体部７０は、ＣＰＵ（Central Processing Unit）７４と、ＲＡＭ（Random Access Memory）７６と、ＲＯＭ（Read Only Memory）７８とを備えており、これらは内部バス８０を介して相互に接続されている。また、内部バス８０は、インターフェース８２を介してハードディスク８４に接続されており、インターフェース８６を介して、前述のディスプレイ７２に接続されている。
【００１８】
この情報処理端末４０は、例えば、ディスクトップパソコンや、ノートパソコン、ＰＤＡ（Personal Digital Assistant）端末、携帯電話などから構成することができる。
【００１９】
次に、本実施形態に係る薬の相互作用情報提供システム１０で実行される薬の相互作用検索のための処理について説明する。
【００２０】
図４及び図５は、本実施形態に係るサーバコンピュータ２０及び情報処理端末４０で実行される薬の相互作用検索のための処理内容を説明するフローチャートを示す図である。この処理は、情報処理端末４０においては、ＲＯＭ７８又はハードディスク８４に格納されているプログラムを、ＣＰＵ７４が読み込んで実行することにより実現される処理である。本実施形態においては、この処理は、ユーザが、情報処理端末４０に薬の相互作用の検索を指示した場合に起動されることを想定している。
【００２１】
一方、サーバコンピュータ２０においては、ＲＯＭ５８又はハードディスク６４に格納されているプログラムを、ＣＰＵ５４が読み込んで実行することにより実現される処理である。サーバコンピュータ２０では、この処理が定常的に実行されており、情報処理端末４０からの要求に基づいて随時遂行される処理である。
【００２２】
まず、図４に示すように、情報処理端末４０は、サーバコンピュータ２０に、メイン画面の要求を送信する（ステップＳ１０）。これを受けたサーバコンピュータ２０は、メイン画面を情報処理端末４０に送信する（ステップＳ１２）。
【００２３】
情報処理端末４０では、この受信したメイン画面を表示画面７２に表示する（ステップＳ１４）。図６は、このとき、情報処理端末４０の表示画面７２に表示されるメイン画面Ｗ１０の一例を示す図である。
【００２４】
また、図４に示すように、上述したステップＳ１２に続いて、サーバコンピュータ２０は、このサーバコンピュータ２０がデータとして保持している処方薬の薬効の一覧を、情報処理端末４０に送信する（ステップＳ１６）。
【００２５】
図７は、本実施形態に係る処方薬薬効一覧テーブルＴＢ１０の一例を示す図である。この図７に示す処方薬薬効一覧テーブルＴＢ１０は、サーバコンピュータ２０のハードディスク６４に格納されている。したがって、このステップＳ１６においては、サーバコンピュータ２０は、ハードディスク６４に格納されている処方薬薬効一覧テーブルＴＢ１０を検索し、この処方薬薬効一覧テーブルＴＢ１０に保持されている薬効を一覧形式にして、情報処理端末４０に送信する。
【００２６】
次に、図４に示すように、情報処理端末４０では、この受信した処方薬の薬効の一覧を、表示画面７２に表示して、ユーザに処方薬の薬効を選択させる（ステップＳ１８）。図８は、このステップＳ１８で表示画面７２に表示される処方薬薬効一覧画面Ｗ２０の一例を示す図である。この図８に示すように、この処方薬薬効一覧画面Ｗ２０には、ステップＳ１６で送信された処方薬の薬効の一覧が表示されるので、ユーザは、その中から、顧客が飲んでいると言った処方薬の薬効を探し出し、対応する選択ボックスをチェックする。ここでは、例えば、「降圧薬」が選択されたとする。そして、送信ボタンＢ２０をクリックする。
【００２７】
送信ボタンＢ２０がクリックされた場合、図４に示すように、情報処理端末４０は、ユーザにより選択された処方薬の薬効をサーバコンピュータ２０に送信する（ステップＳ２０）。選択された処方薬の薬効を受信したサーバコンピュータ２０は、処方薬薬効成分テーブルを検索して、選択された処方薬の薬効をもたらす成分を特定する（ステップＳ２２）。
【００２８】
図９は、本実施形態に係る処方薬薬効成分テーブルＴＢ２０の構成の一例を示す図である。この図９に示す処方薬薬効成分テーブルＴＢ２０には、処方薬の薬効と、この薬効をもたらすために含まれている可能性のあるすべての成分の成分名とが対応付けられて保持されており、サーバコンピュータ２０のハードディスク６４に格納されている。例えば、「降圧薬」には様々な処方薬が流通しているが、この血圧を下げるという薬効を有するとして流通しているすべての処方薬の成分が、最大公約数的に、もれなく保持されている。
【００２９】
したがって、ステップＳ２２では、サーバコンピュータ２０は、ハードディスク６４に格納されている処方薬薬効成分テーブルＴＢ２０を検索し、ユーザが選択した薬効を有する処方薬に含まれている可能性のあるすべての成分名を特定する。ここでは、ユーザが「降圧薬」を選択したと仮定しているので、これには「フロセミド除放剤」、「カプロプリル」及び「マレイン酸エナラプリル」が、含まれている可能性のある成分であると特定される。
【００３０】
一方、図４に示すように、ユーザが処方薬の薬効を選択した後、情報処理端末４０では、ユーザに、顧客が購入しようとしている一般薬のＪＡＮコード（Japanese Article Number Code）を読み取らせる（ステップＳ２４）。具体的には、商品の箱や袋に表示されているバーコード形式のＪＡＮコードを、スキャナで読み取ることにより、一般薬を特定する。ここで、ＪＡＮコードは一般薬を特定するための一般薬特定情報の一例である。したがって、処方薬と同様に、ユーザが一覧の中から選択して特定するようにしてもよい。
【００３１】
続いて、情報処理端末４０は、この読み取ったＪＡＮコードを、サーバコンピュータ２０に送信する（ステップＳ２６）。ここでは、「カゼ薬Ａ」のＪＡＮコード「４９８７２９１８１４５８７４」を読み取り、これがサーバコンピュータ２０に送信されたとする。
【００３２】
このＪＡＮコードを受信したサーバコンピュータ２０では、ＪＡＮコードに基づいて、一般薬成分テーブルを検索し、ユーザが選択した一般薬を特定するとともに（ステップＳ２８）、その一般薬に含まれている成分を特定する（ステップＳ３０）。
【００３３】
図１０は、本実施形態に係る一般薬成分テーブルＴＢ３０の構成の一例を示す図である。この一般薬成分テーブルＴＢ３０には、一般薬の商品名と、その一般薬に含まれる成分と、その一般薬のＪＡＮコードとが、対応付けられて保持されている。本実施形態においては、この一般薬成分テーブルＴＢ３０は、サーバコンピュータ２０のハードディスク６４に格納されている。したがって、サーバコンピュータ２０は、ＪＡＮコードに基づいて、ハードディスク３０の一般薬成分テーブルＴＢ３０を検索することにより、ユーザが選択した一般薬と、その一般薬に含まれている成分とを特定する。
【００３４】
なお、この図１０から分かるように、一般薬には、１つの成分しか含まれていない場合もあるし、複数の成分が含まれている場合もある。上述した例では、ＪＡＮコード「４９８７２９１８１４５８７４」に基づいて「カゼ薬Ａ」が特定されるとともに、この「カゼ薬Ａ」には、「イブプロフェン」が含まれていることが特定される。
【００３５】
一方、図４に示すように、情報処理端末４０では、ステップＳ２６でＪＡＮコードをサーバコンピュータ２０に送信した後、相互作用チェック要求を、サーバコンピュータ２０に送信する（ステップＳ３２）。
【００３６】
この相互作用チェック要求を受信したサーバコンピュータ２０では、ステップ２２で特定された処方薬の薬効をもたらす成分について、相互作用テーブルを検索する（ステップＳ３４）。図１１は、本実施形態に係る相互作用テーブルＴＢ４０の構成の一例を示す図である。本実施形態においては、この相互作用テーブルＴＢ４０は、サーバコンピュータ２０のハードディスク６４に格納されている。したがって、ステップＳ３４では、サーバコンピュータ２０は、ステップＳ２２で特定された処方薬の薬効をもたらす成分に基づいて、相互作用テーブルＴＢ４０を検索する。
【００３７】
なお、この図１１から分かるように、この相互作用テーブルＴＢ４０には、処方薬の成分と、その処方薬の成分に対して相互作用のある一般薬の成分とが、対応付けられて格納されている。この相互作用のある一般薬の成分は、１つとは限らず、複数存在する場合もある。また、処方薬の成分に対して相互作用のある一般薬の成分がない場合には、その処方薬の成分は、この相互作用テーブルＴＢ４０に登録されていない。
【００３８】
次に、図５に示すように、サーバコンピュータ２０は、相互作用テーブルＴＢ４０の検索の結果、ステップＳ２２で特定された処方薬の成分が、この相互作用テーブルＴＢ４０に存在したかどうかを判断する（ステップＳ５０）。そして、相互作用テーブルＴＢ４０に存在した場合（ステップＳ５０：Ｙｅｓ）には、その処方薬の薬効の成分に対して相互作用のある一般薬の成分として、ステップＳ３０で特定された成分が含まれているかどうかを判断する（ステップＳ５２）。ステップＳ３０で特定された成分が含まれている場合には、サーバコンピュータ２０は、その相互作用情報を、情報処理端末４０に送信する（ステップＳ５４）。
【００３９】
先に述べた例を用いて具体的に説明すると、図１１に示すように、「降圧薬」の成分の候補には、「フロセミド除放剤」、「カプロプリル」及び「マレイン酸エナラプリル」があるが、このうち、「カプロプリル」が、相互作用テーブルＴＢ４０に登録されており、その相互作用のある一般薬の成分として、「イブプロフェン」が登録されている。ここで、ユーザが選択した一般薬「かぜ薬Ａ」には「イブプロフェン」が含まれているので、相互作用のある可能性があることとなる。したがって、相互作用情報として、相互作用のある可能性がある旨の通知が、情報処理端末４０に送信される。
【００４０】
これを受信した情報処理端末４０では、受信した相互作用情報に基づいて、結果表示画面を表示画面７２に表示する（ステップＳ５６）。図１２は、表示画面７２に表示される結果表示画面Ｗ３０の一例を示す図である。この図１２から分かるように、相互作用のある可能性がある場合には、「指定された処方薬薬効と選択された一般薬との間には相互作用のある可能性があります」という表示がされる。
【００４１】
一方、図５のステップＳ５０で、指定された薬効をもたらす処方薬の成分が、相互作用テーブルＴＢ４０に格納されていないと判断した場合（ステップＳ５０：Ｎｏ）、又は、ステップＳ５２で、指定された薬効をもたらす処方薬の成分に対して相互作用のある成分として登録されている成分の中に、指定された一般薬の成分が含まれていない場合（ステップＳ５２：Ｎｏ）には、サーバコンピュータ２０は、相互作用の無い一般薬であることを、情報処理端末４０に送信する（ステップＳ５８）。
【００４２】
これを受信した情報処理端末４０では、相互作用の無かったことを示す結果表示画面を表示画面７２に表示する（ステップＳ５６）。図１３は、表示画面７２に表示される結果表示画面Ｗ４０の一例を示す図である。この図１３から分かるように、相互作用がない場合には、「この処方薬薬効に対する一般薬の相互作用はありません」と表示される。
【００４３】
このステップＳ５８の後、情報処理端末４０は、これで本サービスを終了してよいかどうかをユーザに選択させ（ステップＳ６０）、ユーザが本サービスの終了を選択した場合（ステップＳ６０：Ｙｅｓ）には、情報処理端末４０はこの処理を終了する。一方、ユーザが本サービスの継続を選択した場合（ステップＳ６０：Ｎｏ）には、図４のステップＳ１８からを繰り返す。
【００４４】
以上のように、本実施形態に係る薬の相互作用情報提供システム１０によれば、ユーザが、顧客の服用している処方薬の商品名が特定できなくとも、顧客の服用している処方薬の薬効が特定できれば、販売しようとしている一般薬の相互作用の有無を調べることができる。すなわち、ユーザは、顧客の服用している処方薬の薬効と、顧客が購入しようとしている一般薬とを、この薬の相互作用情報提供システム１０に入力すれば、相互作用が生ずる可能性があるのか、無いのかを、知ることができる。
【００４５】
なお、本発明は上記実施形態に限定されず種々に変形可能である。例えば、上述した実施形態では、サーバコンピュータ２０は、相互作用の有無に関する情報を、情報処理端末４０に送信することにより、出力することとしたが、プリントアウトする等の他の出力形態であってもよい。この場合、相互作用の有無に関する情報を、ユーザ側に設けられているプリンタにプリントアウトすればよい。
【００４６】
また、上述の実施形態で説明した処理については、この処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムをサーバコンピュータ２０や情報処理端末４０に読み込ませ、実行させることにより、上述した実施形態を実現することができる。
【００４７】
また、サーバコンピュータ２０や情報処理端末４０は、オペレーティングシステムや別のアプリケーションプログラム等の他のプログラムを備える場合がある。この場合、サーバコンピュータ２０や情報処理端末４０の備える他のプログラムを活用するために、そのサーバコンピュータ２０や情報処理端末４０が備えるプログラムの中から、上述した実施形態と同等の処理を実現するプログラムを呼び出すような命令を含むプログラムを、記録媒体に記録するようにしてもよい。
【００４８】
さらに、このようなプログラムは、記録媒体の形ではなく、ネットワークを通じて搬送波として頒布することも可能である。ネットワーク上を搬送波の形で伝送されたプログラムは、サーバコンピュータ２０や情報処理端末４０に取り込まれて、このプログラムを実行することにより上述した実施形態を実現することができる。
【００４９】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだサーバコンピュータ２０や情報処理端末４０は、そのプログラムの復号や伸張を行った上で、実行する必要がある。
【図面の簡単な説明】
【００５０】
【図１】本実施形態に係る薬の相互作用情報提供システムの全体構成の一例を説明するブロック図。
【図２】本実施形態に係るサーバコンピュータの内部構成の一例を説明するブロック図。
【図３】本実施形態に係る情報処理端末の内部構成の一例を説明するブロック図。
【図４】本実施形態に係るサーバコンピュータ及び情報処理端末で実行される相互作用検索のための処理の一例を説明する図（その１）。
【図５】本実施形態に係るサーバコンピュータ及び情報処理端末で実行される相互作用検索のための処理の一例を説明する図（その２）。
【図６】情報処理端末に表示されるメイン画面の一例を示す図。
【図７】サーバコンピュータが保持する処方薬薬効一覧テーブルの構成の一例を示す図。
【図８】情報処理端末に表示される処方薬薬効一覧画面の一例を示す図。
【図９】サーバコンピュータが保持する処方薬薬効成分テーブルの構成の一例を示す図。
【図１０】サーバコンピュータが保持する一般薬成分テーブルの構成の一例を示す図。
【図１１】サーバコンピュータが保持する相互作用テーブルの構成の一例を示す図。
【図１２】情報処理端末に表示される結果表示画面の一例を示す図（相互作用のある可能性がある場合）。
【図１３】情報処理端末に表示される結果表示画面の一例を示す図（相互作用が無い場合）。
【符号の説明】
【００５１】
１０  薬の相互作用情報提供システム
２０  サーバコンピュータ
３０  ネットワーク
４０  情報処理端末
５０  本体部
５２  表示画面
５４  ＣＰＵ
５６  ＲＡＭ
５８  ＲＯＭ
６０  内部バス
６２、６６  インターフェース
６４  ハードディスク
７０  本体部
７２  表示画面
７４  ＣＰＵ
７６  ＲＡＭ
７８  ＲＯＭ
８０  内部バス
８２、８６  インターフェース
８４  ハードディスク
【図１】
2006215971.tif 000003
【図２】
2006215971.tif 000004
【図３】
2006215971.tif 000005
【図４】
2006215971.tif 000006
【図５】
2006215971.tif 000007
【図６】
2006215971.tif 000008
【図７】
2006215971.tif 000009
【図８】
2006215971.tif 000010
【図９】
2006215971.tif 000011
【図１０】
2006215971.tif 000012
【図１１】
2006215971.tif 000013
【図１２】
2006215971.tif 000014
【図１３】
2006215971.tif 000015